(57)【特許請求の範囲】
【請求項１】
上部の梁及び側壁を所定高さに切除した門型側溝ブロックの側壁の切除面を跨ぐように載置される、該門型側溝ブロックの短手方向幅と同じ長さの基板の長手方向両端に、一対の蓋押さえ部をその対向寸法が両側壁の外壁幅と同じ長さで垂直に立設し、該基板の下面長手方向には前記門型側溝ブロックの側壁の内壁間幅と同一長さの間隔保持体を一体設したことを特徴とする鋼製の側溝改修部材。
【請求項２】
上部の梁及び側壁を所定高さに切除した門型側溝ブロックの側壁の切除面を跨ぐように載置される、該門型側溝ブロックの短手方向幅と同じ長さからなる一対の基板の長手方向の各両端に、一対の蓋押さえ部をその対向寸法が両側壁の外壁幅と同じ長さで垂直に立設し、前記一対の基板の下面に一対の間隔保持体を前記門型側溝ブロックの側壁の内壁間幅と同一幅を有して平行に溶接したことを特徴とする鋼製の側溝改修部材。
【請求項３】
両側壁の上端部を梁で連結した門型側溝ブロックの開放底部にコンクリートを現場で打設して水路とした側溝の修繕工法であって、
(1)  両側壁間に伸縮自在な切梁を水平に設置する側壁保持工程と、
(2)  該梁の両側を垂直に切除する梁切除工程と、
(3)  両側壁を所定高さで水平に切除する側壁切除工程と、
(4)  請求項１又は請求項２のいずれかの側溝改修部材の間隔保持体を側壁の内側壁間に配置し、前記側溝改修部材を側壁の切除面に乗載する側溝改修部材設置工程と、
(5)  前記切梁を撤去する切梁撤去工程と、
(6)  側溝改修部材の蓋押さえ部間に修繕用蓋ブロックを載置し組み付ける修繕用蓋ブロック組み付け工程と、を有し、
前記梁切除工程(2)が、梁と底版との間に梁落下防止サポートを配置する工程を含むことを特徴とする側溝改修部材を使用した側溝の修繕工法。
【発明の詳細な説明】
【技術分野】
【０００１】
本発明は、両側壁の内壁上端部間を梁で連結した門型側溝ブロックにおける側溝改修部材及び側溝改修部材を使用した側溝の修繕工法に関するものである。
【背景技術】
【０００２】
（１）道路上に設置されている側溝としては、落とし蓋形のコンクリート製U形側溝や底部が開放され上面に梁を有する逆U字形の自由勾配側溝（門型側溝ブロック）などが設置されている。
【０００３】
これらの側溝の上端部は、車両の通行や除雪作業時の除雪車のブレードによって損傷を受ける。また、近年では、側溝の上端部は、酸性雨によるコンクリートの劣化、寒冷地においては凍結防止剤の散布により、凍害による劣化が促進されたりしている。
【０００４】
さらに、高齢者や身体にハンディキャップを持つ人たちが移動時障害とならないために、歩道と車道間にある段差をなくすバリヤフリー化が進められており、これに伴ない側溝における上端部の高さ調整を行う改修工事も行われている。
【０００５】
このような側溝の改修や修繕を行う場合、従来は改修や修繕を行わずに側溝全体を新製品の側溝に入れ替えることが一般に行われてきたが、工事期間の短縮や費用の低減、周辺環境への配慮などの点から、側溝上部を切除し、切除後の側溝上部修繕用のブロックを載置する修繕方法が提案されている（特許文献１参照）。
【先行技術文献】
【特許文献】
【０００６】
【特許文献１】特開２００５−２７３３８２号公報
【発明の概要】
【発明が解決しようとする課題】
【０００７】
(1) 側溝上部を切除し、切除後の側溝上部に修繕用のブロックを載置する従来の改修方法は、U形側溝には適用できるが、逆U字形の自由勾配側溝に用いることはできないという問題点がある。すなわち、逆U字形の自由勾配側溝では、左右の側壁が側溝上面の梁によって一体結合している構造のため、側溝上部（梁部）を切除する修繕方法では、左右側壁とその上に載置する修繕用蓋ブロックとを結合して、構造体として必要な強度を確保しなければならないという問題がある。
【０００８】
(2)左右の側壁とその上部に載置する修繕用蓋ブロックとを固定する方法としては、該左右の側壁の切除面にハンマードリルなどで孔をあけ、その孔にアンカーボルトを差し込みエポキシ樹脂などで固定するか、打ち込みアンカーを打ち込み、これらのアンカーボルトにより左右側壁と修繕用蓋ブロックとを固定する方法があるが、非常に固定作業が煩雑であり、工事時間も長くなり、更には工事費用も高価になるという問題点がある。
【０００９】
(3)また、一般的に工場で制作されるコンクリート製品はその部材厚が薄いため、左右の側壁を切除した切除面にハンマードリル等を用いて孔を開ける際に、側壁が破損するおそれがある。
【００１０】
本発明は上記問題点に鑑みて、側溝ブロックの構造体として必要な強度を確保し、固定作業を簡単にし、工期の短縮とコストの低減、周辺環境への配慮などの点で優れた側溝改修部材及び側溝改修部材を使用した側溝の修繕工法に関するものである。
【課題を解決するための手段】
【００１１】
上記課題を解決するための手段のうち、本発明の側溝改修部材における主たる構成は、
上部の梁及び側壁を所定高さに切除した門型側溝ブロックの側壁の切除面を跨ぐように載置される、該門型側溝ブロックの短手方向幅と同じ長さの基板の長手方向両端に、一対の蓋押さえ部をその対向寸法が両側壁の外壁幅と同じ長さで垂直に立設し、該基板の下面長手方向には前記門型側溝ブロックの側壁の内壁間幅と同一長さの間隔保持体を一体設したことを特徴とする、と言うものである。
【００１２】
本発明の側溝改修部材における別の主たる構成は、
上部の梁及び側壁を所定高さに切除した門型側溝ブロックの側壁の切除面を跨ぐように載置される、該門型側溝ブロックの短手方向幅と同じ長さからなる一対の基板の長手方向の各両端に、一対の蓋押さえ部をその対向寸法が両側壁の外壁幅と同じ長さで垂直に立設し、前記一対の基板の下面に一対の間隔保持体を前記門型側溝ブロックの側壁の内壁間幅と同一幅を有して平行に溶接したことを特徴とする、と言うものである。
【００１３】
次に、本発明の側溝の修繕工法における主たる構成は、
両側壁の上端部を梁で連結した門型側溝ブロックの開放底部にコンクリートを現場で打設して水路とした側溝の修繕工法であって、
(1)  両側壁間に伸縮自在な切梁を水平に設置する側壁保持工程と、
(2)  該梁の両側を垂直に切除する梁切除工程と、
(3)  両側壁を所定高さで水平に切除する側壁切除工程と、
(4)  請求項１又は請求項２のいずれかの側溝改修部材の間隔保持体を側壁の内側壁間に配置し、前記側溝改修部材を側壁の切除面に乗載する側溝改修部材設置工程と、
(5)  前記切梁を撤去する切梁撤去工程と、
(6)  側溝改修部材の蓋押さえ部間に修繕用蓋ブロックを載置し組み付ける修繕用蓋ブロック組み付け工程と、を有し、
前記梁切除工程(2)が、梁と底版との間に梁落下防止サポートを配置する工程を含むことを特徴とする、と言うものである。
【発明の効果】
【００１５】
本発明は上記構成となっているので、以下に示す効果を奏する、
(1)  本発明によれば、側溝改修部材と修繕用蓋ブロックの組み合わせで構成されているため、側溝改修部材により修繕用蓋ブロックのズレ止め固定と両側壁の倒れ（拝み）を防止可能とし、堅固な構造にできる。また、この構造は短時間の作業で仕上げることができる。
【００１６】
(2)   本発明によれば、鋼製の側溝改修部材を側壁に取り付ける構造であるため側溝改修部材は軽量であり、作業を効率がよく出来る。また、側溝改修部材の使用により切除された側壁の補強効果を高くできる。
【００１７】
(3)  本発明の側溝の修繕工法によれば、門型側溝ブロックの側壁上部の梁を切除した後に側壁上面（切除面）に修繕用蓋ブロックを載置し組み付けるために、側壁の切除面にアンカーボルト埋込み用の孔を削孔する等の作業が不要であり、その結果、工期の短縮とコストの低減を図ることが出来る。また、削孔作業による側壁の破損を防止出来る。
【００１８】
(4)  本発明によれば、側壁上部が破損や劣化した、或いは高さ調整が必要な自由勾配側溝を新しい製品に入れ替えることなく、改修・修繕出来る。また、その結果、施工時間の短縮と施工費用の低減を図ることが出来る。
【図面の簡単な説明】
【００１９】
【図１】本発明の第１実施例の側溝改修部材の斜視図。
【図２】本発明の第２実施例の側溝改修部材の斜視図。
【図３】本発明の第１実施例の側溝改修部材を使用した場合の施工手順説明図。
【図４】本発明の第１実施例の側溝改修部材を門型側溝ブロックの上端部に配置したとき及び上部に修繕用蓋ブロックを配置したときの斜視図。
【図５】本発明の第１実施例の側溝改修部材を使用した門型側溝ブロックの完成時の側面図。
【図６】本発明の第２実施例の側溝改修部材を門型側溝ブロックの上端部に配置したとき及び上部に修繕用蓋ブロックを配置したときの斜視図。
【図７】本発明の第２実施例の側溝改修部材を使用した門型側溝ブロックの完成時の側面図。
【図８】本発明の第２実施例の側溝改修部材を使用した門型側溝ブロックの完成時の正面図。
【図９】本発明の第２実施例の側溝改修部材を使用した門型側溝ブロックの施工状態を示す正面図。
【図１０】本発明の別の修繕用蓋ブロックの斜視図。
【図１１】本発明の別の修繕用蓋ブロックの斜視図。
【図１２】本発明の別の修繕用蓋ブロックの斜視図。
【図１３】本発明の別の門型側溝ブロックの完成時の斜視図。
【発明を実施するための形態】
【００２０】
本発明の、側溝改修部材及び側溝改修部材を使用した側溝の修繕工法を図１から図１１を参照して説明する。
【００２１】
先ず、第１実施例の側溝改修部材は鋼製であり、図１、３，４、5に示したように、上部の梁２４及び側壁２１，２２を所定高さに切除した該門型側溝ブロック１の一方及び他方の両側壁２１，２２の切除面（上端面）２６を跨ぐように載置されるものである。
【００２２】
また、該門型側溝ブロック１の短手方向幅とほぼ同じ長さの基板５１の長手方向両端に、蓋押さえ部５２をほぼ垂直に立設し、該基板５１の下面長手方向には前記門型側溝ブロック１の側壁２１，２２の内壁幅とほぼ同一長さの間隔保持体５３を一体設し、前記側壁２１，２２の倒れ（拝み）を防止している。
【００２３】
また、第２実施例の側溝改修部材は、同じく鋼製であり、図２〜５に示したように、梁２４及び側壁２１，２２を所定高さに切除した該門型側溝ブロック１の側壁２１，２２の切除面（上端面）２６を跨ぐように載置されるものである。
【００２４】
該門型側溝ブロック１の短手方向幅とほぼ同じ長さの基板５１の長手方向両端に、蓋押さえ部５２をほぼ垂直に立設した一対の基板５１の下面に、門型側溝ブロックの側壁２１，２２の内壁幅と同一幅で補強部材６４を備えた間隔保持体６３とを平面視H型に溶接してある。
【００２５】
間隔保持体６３には、補強部材６４を設けることで側壁２１，２２の倒れ（拝み）を防止効果を高くすることが望ましい。
【００２６】
次に側溝の修繕工法は、図３〜７に図示したように、両側壁２１，２２の長手方向両端上部を梁２４で一体に形成され、開放底部にコンクリートを現場で打設して水路を形成した門型側溝ブロック１（図３イ参照）を修繕するものである。
【００２７】
先ず、第１の工程は、該門型側溝ブロック１の両側壁２１，２２間には、螺子棒３４の一方端に押圧板３１を回転自在に取り付け、回転ハンドル３２を螺合させたパイプジャッキの該螺子棒３４の他方端側をパイプ３３に挿着させた伸縮自在な切梁３を、両側壁２１，２２の内壁間に水平に配置固定する側壁保持工程（図３ロ）である。
【００２８】
第２の工程は、該梁２４を所定の切除手段で切除する梁切除工程（図３ハ）である。このとき、切除した梁が落下しないように、梁２４と底版２３間に梁落下防止サポート４を配置するのが望ましい。
【００２９】
第３の工程は、両側壁２１，２２を所定高さに切除する側壁切除工程（図３ニ）である。
【００３０】
第４の工程は、第１実施例の側溝改修部材５（請求項１）又は第２実施例の側溝改修部材６（請求項２）のいずれかの側溝改修部材５、６の間隔保持体５３，６３を側壁の内側壁間に配置し、前記側溝改修部材を両側壁２１，２２の切除面に乗載する側溝改修部材設置工程（図３ホ）である。前記側溝改修部材を両側壁の切除面に乗載する際、両側壁の切除面と側溝改修部材とをエポキシ樹脂などで接着してもよい。また、高さ調整が必要な場合、高さ調整用モルタルを切除面に塗布して前記側溝改修部材を乗載することもある。
【００３１】
第５，第６の工程は、前記切梁３を撤去する切梁撤去工程と、該側溝改修部材５，６の蓋押さえ部５２，６２間に修繕用蓋ブロック７を載置し組み付ける修繕用蓋ブロック組み付け工程（図３へ）である。
【００３２】
この側溝修繕工法に使用する修繕用蓋ブロック７は、施工現場の状況に合わせて使い分けるのがよい。
例えば、図９に示したような、長手方向に沿い歩道側端部に凸条を設けた修繕用蓋ブロック７３の場合は、排水部分以外を舗装（アスファルト等舗装）７４することで、修繕用蓋ブロック７３である蓋が道路面上に露出しないため、歩行や車椅子使用者に障害となる隙間や段差がなくなり、側溝の存在を感じさせないバリヤフリー効果の高い歩道を構築できる。
【００３３】
また、側溝の管理上暗渠化ができない場合には、図１０に示したような修繕用蓋ブロック７５を設置し、その開口部７６に通常の側溝蓋７７を配置することで、修繕前の側溝と同じ状態にすることもできる。あるいは、図１１のような平板状の修繕用蓋ブロック７８を両側壁２１，２２の長手方向に配置してもよい。
【００３４】
さらに、側溝の修繕工法は、図３、１２〜１３に図示したように、両側壁２１，２２の長手方向両端上部を梁２４で一体に形成され、開放底部にコンクリートを現場で打設して水路を形成した門型側溝ブロック１（図３イ参照）を修繕するものである。
両側壁２１，２２の長手方向両端上端部を梁２４で一体に成形され、開放底部にコンクリートを現場で打設して水路を形成する門型側溝ブロック１の、
第１の工程は、両側壁２１，２２間に伸縮自在な切梁３を水平に設置する側壁保持工程である。
第２の工程は、該梁２４を切除する梁切除工程である。
第３の工程は、両側壁２１，２２を所定高さに切除する側壁切除工程である。
この第１〜３の工程は前記修繕工法と同じである。
次に、第４の工程は、裏面に、側溝の長さ方向に内側壁間幅とほぼ等しい幅の間隔保持体５３ａを設けた修繕用蓋ブロック７ａの該間隔保持体５３ａを、側壁２１，２２間に配置して修繕用蓋ブロック７ａを切除面に跨る形態で組み付ける修繕用蓋ブロック組み付け工程である。
最後の第５の工程は、前記切梁３を撤去する切梁撤去工程である。
【符号の説明】
【００３５】
１  門型側溝ブロック
２  側壁
２１  一方側壁
２２  他方側壁
２３  底版
２４  梁
２５  空間部
２６  切除面（上端面）
３  切梁
３１  押圧板
３２  回転ハンドル
３３  パイプ
３４  螺子部
４  梁落下防止サポート
５、６  側溝改修部材
５１、６１  基板
５２，６２  蓋押さえ部
５３，６３、５３ａ  間隔保持体
６４  補強部材
７，７３、７５、７８、７ａ  修繕用蓋ブロック
【図１】
0005517057.tif 000002
【図２】
0005517057.tif 000003
【図３】
0005517057.tif 000004
【図４】
0005517057.tif 000005
【図５】
0005517057.tif 000006
【図６】
0005517057.tif 000007
【図７】
0005517057.tif 000008
【図８】
0005517057.tif 000009
【図９】
0005517057.tif 000010
【図１０】
0005517057.tif 000011
【図１１】
0005517057.tif 000012
【図１２】
0005517057.tif 000013
【図１３】
0005517057.tif 000014